(57)【特許請求の範囲】
【請求項１】
保険者が負担すべき保険者負担金の支払いの請求がなされたレセプトに含まれるレセプト情報の審査を行う入力部及び表示部を含むレセプト事務共助支援装置であって、
診療パターン、医療機関その他の項目を特定するための項目特定情報に対して各項目別に前記レセプト情報の不正確さの程度を示す項目別不正確度情報を対応させて記憶する項目別不正確度情報記憶部と、
請求がなされたレセプトに含まれる画像情報であるレセプト情報であって前記項目特定情報及び前記保険者負担金に関する保険者負担金情報を含むレセプト情報の入力を、前記入力部を通じて実行する入力実行部と、
入力された前記画像情報であるレセプト情報を文字情報であるレセプト情報に変換する画像文字変換部と、
変換された前記レセプト情報の表示を前記表示部を通じて実行するレセプト情報表示実行部と、
前記変換されたレセプト情報に含まれる項目特定情報に基づいて、前記項目別不正確度情報記憶部から前記項目特定情報に対応する項目別不正確度情報を抽出し、この抽出した項目別不正確度情報に基づいて前記請求がなされたレセプトについての事務共助に対して注力すべき程度を示すレセプトランク付け情報を算定するとともに、算定された該レセプトランク付け情報の表示を前記レセプト情報の表示とともに前記表示部を通じて実行するレセプトランク付け情報表示実行部と、
前記請求がなされたレセプトの的確な審査を行うための付箋情報の入力を前記入力部を通じて実行する共助者からの付箋情報入力実行部と
を含むことを特徴とするレセプト事務共助支援装置。
【請求項２】
前記項目別不正確度情報記憶部に記憶された項目別不正確度情報記憶部における項目別不正確度情報の新たな統計的な調査を通じて取得される項目別不正確度情報への更新を前記入力部を通じて実行する項目別不正確度情報更新実行部
を含むことを特徴とする請求項１に記載のレセプト事務共助支援装置。
【請求項３】
保険者が負担すべき保険者負担金の支払いの請求がなされたレセプトに含まれるレセプト情報の審査を行う入力部及び表示部を含むレセプト審査支援装置であって、
診療パターン、医療機関その他の項目を特定するための項目特定情報に対して各項目別に前記レセプト情報の不正確さの程度を示す項目別不正確度情報を対応させて記憶する項目別不正確度情報記憶部と、
請求がなされたレセプトに含まれる画像情報であるレセプト情報であって前記項目特定情報及び前記保険者負担金に関する保険者負担金情報を含むものの入力を前記入力部を通じて実行する入力実行部と、
入力された前記画像情報であるレセプト情報を文字情報であるレセプト情報に変換する画像文字変換部と、
変換された前記レセプト情報の表示を前記表示部を通じて実行するレセプト情報表示実行部と、
前記変換されたレセプト情報に含まれる項目特定情報に基づいて、前記項目別不正確度情報記憶部から前記項目特定情報に対応する項目別不正確度情報を抽出し、この抽出した項目別不正確度情報に基づいて前記請求がなされたレセプトについての審査に対して注力すべき程度を示すレセプトランク付け情報の算定するとともに、算定された該レセプトランク付け情報の表示を前記レセプト情報の表示とともに前記表示部を通じて実行するレセプトランク付け情報情報表示実行部と、
レセプト事務共助者が利用する共助者支援装置から送信され又は前記入力部を通じて入力された前記請求がなされたレセプトの的確な審査を行うための前記共助者支援装置からの付箋情報の表示を前記レセプト情報の表示及び前記レセプトランク付け情報の表示とともに前記表示部を通じて実行する的確審査情報表示実行部と
を含むことを特徴とするレセプト審査支援装置。
【請求項４】
前記項目別不正確度情報記憶部に記憶された項目別不正確度情報記憶部における項目別不正確度情報の新たな統計的な調査を通じて取得される項目別不正確度情報への更新を前記入力部を通じて実行する項目別不正確度情報更新実行部
を含むことを特徴とする請求項３に記載のレセプト審査支援装置。
【請求項５】
項目別不正確度情報記憶部、入力実行部、画像文字変換部、レセプト情報表示実行部、レセプトランク付け情報表示実行部、付箋情報入力実行部、入力部及び表示部を含むレセプト事務共助支援装置を用いて行うものであり、保険者が負担すべき保険者負担金の支払いの請求がなされたレセプトに含まれるレセプト情報の事務共助を行うためのレセプト事務共助支援方法であって、
前記項目別不正確度情報記憶部が、診療パターン、医療機関その他の項目を特定するための項目特定情報に対して各項目別に前記レセプト情報の不正確さの程度を示す項目別不正確度情報を対応させて記憶するステップと、
前記入力実行部が、請求がなされたレセプトに含まれる画像情報であるレセプト情報であって前記項目特定情報及び前記保険者負担金に関する保険者負担金情報を含むレセプト情報の入力を、前記入力部を通じて実行するステップと、
前記画像文字変換部が、入力された前記画像情報であるレセプト情報を文字情報であるレセプト情報に変換するステップと、
前記レセプト情報表示実行部が、変換された前記レセプト情報の表示を前記表示部を通じて実行するステップと、
前記レセプトランク付け情報表示実行部が、前記変換されたレセプト情報に基づいて、項目別不正確度情報記憶部から前記項目特定情報に対応する項目別不正確度情報を抽出し、この抽出した項目別不正確度情報に基づいて前記請求がなされたレセプトについての事務共助に対して注力すべき程度を示すレセプトランク付け情報の算定をするとともに、算定された該レセプトランク付け情報の表示を前記レセプト情報の表示とともに前記表示部を通じて実行するステップと、
前記付箋情報入力実行部が、前記請求がなされたレセプトの的確な審査を行うための共助者からの付箋情報の入力を前記入力部を通じて実行するステップと
を含むことを特徴とするレセプト事務共助支援方法。
【請求項６】
前記レセプト事務共助支援装置が項目別不正確度情報更新実行部をさらに含むものである場合において、
前記項目別不正確度情報更新実行部が、前記項目別不正確度情報記憶部に記憶された項目別不正確度情報記憶部における項目別不正確度情報の新たな統計的な調査を通じて取得される項目別不正確度情報への更新を前記入力部を通じて実行するステップ
を含むことを特徴とする請求項５に記載のレセプト事務共助支援方法。
【請求項７】
項目別不正確度情報記憶部、入力実行部、画像文字変換部、レセプト情報表示実行部、レセプトランク付け情報表示実行部、的確審査情報表示実行部、入力部及び表示部を含むレセプト審査支援装置を用いて行うものであり、保険者が負担すべき保険者負担金の支払いの請求がなされたレセプトに含まれるレセプト情報の審査を行うためのレセプト審査支援方法であって、
前記項目別不正確度情報記憶部が、診療パターン、医療機関その他の項目を特定するための項目特定情報に対して各項目別に前記レセプト情報の不正確さの程度を示す項目別不正確度情報を対応させて記憶するステップと、
前記入力実行部が、請求がなされたレセプトに含まれる画像情報であるレセプト情報であって前記項目特定情報及び前記保険者負担金に関する保険者負担金情報を含むレセプト情報の入力を前記入力部を通じて実行するステップと、
前記画像文字変換部が、入力された前記画像情報であるレセプト情報を文字情報であるレセプト情報に変換するステップと、
前記レセプト情報表示実行部が、変換された前記レセプト情報の表示を、前記表示部を通じて実行するステップと、
前記レセプトランク付け情報表示実行部が、前記変換されたレセプト情報に基づいて、項目別不正確度情報記憶部から前記項目特定情報に対応する項目別不正確度情報を抽出し、この抽出した項目別不正確度情報に基づいて前記請求がなされたレセプトについての審査に対して注力すべき程度を示すレセプトランク付け情報を算定するとともに、算定された該レセプトランク付け情報の表示を前記レセプト情報の表示とともに前記表示部を通じて実行するステップと、
前記的確審査情報表示実行部が、前記レセプト審査支援装置以外の装置から送信され又は前記入力部を通じて入力された前記請求がなされたレセプトの的確な審査を行うための共助者支援装置からの付箋情報の表示を前記レセプト情報の表示及び前記レセプトランク付け情報の表示とともに前記表示部を通じて実行するステップと
を含むことを特徴とするレセプト審査支援方法。
【請求項８】
前記レセプト審査支援装置が項目別不正確度情報更新実行部をさらに含む場合において、
前記項目別不正確度情報更新実行部が前記項目別不正確度情報記憶部に記憶された項目別不正確度情報記憶部における項目別不正確度情報の新たな統計的な調査を通じて取得される項目別不正確度情報への更新を前記入力部を通じて実行するステップ
を含むことを特徴とする請求項７に記載のレセプト審査支援方法。
【請求項９】
前記的確審査情報表示実行部が、前記付箋情報の表示、前記レセプト情報の表示及び前記レセプトランク付け情報の表示を、前記表示部を通じて行うステップは、１つの画面に同時に前記３つの情報の表示を行うステップであること
を特徴とする請求項７又は請求項８に記載のレセプト審査支援方法。
【請求項１０】
診療パターン、医療機関その他の項目を特定するための項目特定情報に対して各項目別に把握される前記レセプト情報の不正確さの程度を示す項目別不正確度情報を対応させて記憶している項目別不正確度情報記憶部を含み、保険者が負担すべき保険者負担金の支払いの請求がなされたレセプトに含まれるレセプト情報の事務共助を行う事務共助担当者を対象としたレセプト事務共助支援装置としてのコンピュータに、
請求がなされたレセプトに含まれる画像情報であるレセプト情報であって前記項目特定情報及び前記保険者負担金に関する保険者負担金情報を含むレセプト情報の入力と、
入力された前記画像情報であるレセプト情報の文字情報であるレセプト情報への変換と、
変換された前記レセプト情報の表示と、
変換された前記レセプト情報に含まれる項目特定情報に基づいて前記項目別不正確度情報記憶部を検索して、前記項目特定情報に対応する項目別不正確度情報の抽出と、
抽出した項目別不正確度情報及び該レセプト情報に含まれる保険者負担金情報に基づいて前記請求がなされたレセプトについての事務共助に対して注力すべき程度を示すレセプトランク付け情報の算定と、
算定された該レセプトランク付け情報の表示と、
前記請求がなされたレセプトの的確な審査を行うための共助者からの付箋情報の入力と
を実行させるためのプログラム。
【請求項１１】
診療パターン、医療機関その他の項目を特定するための項目特定情報に対して各項目別に前記レセプト情報の不正確さの程度を示す項目別不正確度情報を対応させて記憶している項目別不正確度情報記憶部を含み、保険者が負担すべき保険者負担金の支払いの請求がなされたレセプトに含まれるレセプト情報の審査を支援するレセプト審査支援装置としてのコンピュータに、
請求がなされたレセプトに含まれる画像情報であるレセプト情報であって前記項目特定情報及び前記保険者負担金に関する保険者負担金情報を含むレセプト情報の入力と、
入力された前記画像情報であるレセプト情報の文字情報であるレセプト情報への変換と、
変換された前記レセプト情報の表示と、
変換された前記レセプト情報に含まれる項目特定情報に基づいて前記項目別不正確度情報記憶部を検索して、前記項目特定情報に対応する項目別不正確度情報の抽出と、
抽出した項目別不正確度情報及び該レセプト情報に含まれる保険者負担金情報に基づいて前記請求がなされたレセプトについての審査に対して注力すべき程度を示すレセプトランク付け情報の算定と、
算定された該レセプトランク付け情報の表示と、
レセプト事務共助者が利用する事務共助者支援装置装置から送信され又は前記入力部を通じて入力された前記請求がなされたレセプトの的確な審査を行うための前記事務共助者支援装置からの付箋情報の表示と
を実行させるためのプログラム。
【発明の詳細な説明】
【０００１】
【発明の属する技術分野】
本発明は、医療機関又は保険薬局から送付されるレセプトの事務共助及びレセプトの審査の支援に用いられるレセプト事務共助支援装置、レセプト審査支援装置及びそれらの方法並びにプログラムに関する。
【０００２】
【従来の技術】
健康保険の被保険者は、一部負担金を支払うことにより、病院及び診療所などの医療機関で診察、治療、薬の支給・入院などの治療を治るまで受けることができる。また、医師の処方せんをもらった場合にも、一部負担金を支払うことにより、保険薬局で薬剤の調剤をしてもらうことができる。
【０００３】
医療機関や保険薬局は、健康保険の保険者に対して、保険者が負担すべき負担金（以下、保険者負担金という）の支払いを請求することが必要となる。
【０００４】
ここで、医療機関や保険薬局による健康保険の保険者に対する保険者負担金の支払いの請求は、レセプトと呼ばれる請求書（以下、レセプトという）を介して行われる。レセプトは、被保険者に対しての処置の回数や投薬の種類と回数などといった医療行為や調剤の内容に関する事項が詳細に記載されており、この記載内容に従って支払が行われる必要がある。
【０００５】
ところで、レセプトを介してする保険者負担金の支払いは、医療機関や保険薬局から健康保険の保険者への一方的な請求に対応して行われるものであり、何らの監視機関も有しない場合には、保険者負担金を間違いを含む不当な請求によって取得したり、不正な行為によって取得したりすることが可能となる。そのため、そのような不当な請求或いは不正な行為を排除する必要があり、レセプトの真性を確認する仕組みが構築されている。
【０００６】
ここで、そのような不当な請求としては、例えば診療行為（投薬、注射など）に関する記載が無かったり、診療行為とレセプト点数が合わなかったりするケースであり、不正な行為としては、例えば実体のない診療行為について保険者負担金の支払いの請求をするケースである。
【０００７】
すなわち、医療機関や保険薬局と健康保険の保険者との間には、レセプトの真性を確認するためのレセプトの審査を行う機関としての社会保険診療報酬支払基金や国民健康保険組合連合会など（以下、審査支払機関という）を介在させている。
【０００８】
それゆえ、医療機関や保険薬局によって作成されたレセプトは、審査支払機関に集められた上で、まず事務共助担当者によって疑義があるものが排除され、続いて、十分な専門的・技術的知識を有する医師など（以下、審査担当者という）による詳細な審査に付される。その結果、真性が確認されたレセプトのみが健康保険の各保険者に対して送付されるが、それ以外は医療機関や保険薬局に返送される。
【０００９】
【発明が解決しようとする課題】
しかしながら、このような事務共助担当者による事務共助では、事務共助担当者があらゆる角度からの点検を行い、明らかに疑義があるレセプトを抽出するという方法に止まっており、明らかに疑義があるとはいえないレセプトについては、事務共助担当者のカンや熟練度に依存するところが大きいことから、効率的な事務共助作業を確保できないのみならず、非科学的であって間違いの発見自体がそもそも困難である状況となっている。
【００１０】
加えて、このような審査担当者による審査では、各レセプトによって不正確さの程度やこれに対応して注力すべき程度が相当に異なるという実体があるにもかかわらず、同様な人的資力を振り向けているのが実状であり、事務共助担当者による疑義があるレセプトの抽出が不十分なこともあり、十分な審査処理負担の軽減効果が得られない状況となっている。
【００１１】
なお、従来、このようなレセプトや保険の手続きに関するシステムや方法としては特開２００１−３４４３３７号公報、特開２００２−４１６４９号公報及び特開２００２−１０９０６９号公報などがある。
【００１２】
ここで、特開２００１−３４４３３７号公報は、保険者がレセプトを受領するとそのレセプトの請求を決済するか又は医療機関に差し戻すかの決済システムである。また、特開２００２−４１６４９号公報は医療情報を保管している医療情報保管管理会社のデータベースに被保険者ごとの保険証データを格納しておき受信時の保険証の確認や保険者への請求はこの管理会社を介して行ない保険医療機関の負担軽減を図るものである。さらに、特開２００２−１０９０６９号公報は資格認証機関に被保険者の資格の有無を確認し、保険者にとっての医療費損失を防止しようとするものである。
【００１３】
これらのいずれもが、健康保険の保険者及び被保険者、医療機関や保険薬局における、効率的な事務作業の確保、処理負担の軽減という課題を解決しようとしており、審査支払機関における、効率的な事務作業の確保、処理負担の軽減という課題を解決しようとするものではない。
【００１４】
そこで、本発明の課題は、事務共助作業の効率向上効果及び審査処理負担の軽減効果が十分に得られるように、各レセプトについての間違いの発見が容易に可能となり、かっ、各レセプトの有する不正確さの程度や注力すべき程度に対応して人的資力を的確に振り向けることが可能となるようなレセプト事務共助支援装置、レセプト審査支援装置及びそれらの方法並びにプログラムを提供することにある。
【００１５】
【課題を解決するための手段】
すなわち、本発明は、第一発明、第二発明、第三発明及び第四発明とを含むものとして構成されている。第一発明は、レセプト事務共助支援装置に係るものであり、第二発明は、レセプト審査支援装置に係るものである。また、第三発明は、レセプト事務共助支援方法に係るものであり、第四発明は、レセプト審査支援方法に係るものである。
【００１６】
第一発明に係るレセプト事務共助支援装置は、保険者が負担すべき保険者負担金の支払いの請求がなされたレセプトに含まれるレセプト情報の審査を行う入力部及び表示部を含むものである。
【００１７】
これは、項目別不正確度情報記憶部と、入力実行部と、画像文字変換部と、レセプト情報表示実行部と、レセプトランク付け（レセプト注力度）情報表示実行部と、共助者からの付箋情報入力実行部（的確審査情報入力実行部）とからなっている。
【００１８】
ここで、項目別不正確度情報記憶部は、診療パターン、医療機関その他の項目を特定するための項目特定情報に対して各項目別にレセプト情報の不正確さの程度を示す項目別不正確度情報を対応させて記憶しておくものである。入力実行部は、請求がなされたレセプトに含まれる画像情報であるレセプト情報であって項目特定情報及び保険者負担金に関する保険者負担金情報を含むレセプト情報の入力を入力部を通じて実行する機能を果たす。画像文字変換部は、入力された画像情報であるレセプト情報を文字情報であるレセプト情報に変換する機能を果たす。レセプト情報表示実行部は、変換されたレセプト情報の表示を表示部を通じて実行する機能を果たす。レセプトランク付け（レセプト注力度）情報表示実行部は、項目別不正確度情報記憶部に基づいて請求がなされたレセプトについての事務共助に対して注力すべき程度を示すレセプトランク付け情報（レセプト注力度情報）の算定をするとともに、算定されたレセプトランク付け情報の表示をレセプト情報の表示とともに表示部を通じて実行する機能を果たす。付箋情報入力実行部（的確審査情報入力実行部）は、請求がなされたレセプトの的確な審査を行うための付箋情報（的確審査情報）の入力を入力部を通じて実行する機能を果たす。
【００１９】
このような第一発明に係るレセプト事務共助支援装置によれば、このような項目別不正確度情報記憶部、入力実行部（自動入力実行部）、画像文字変換部、レセプト情報表示実行部、レセプトランク付け（レセプト注力度）情報表示実行部及び付箋情報（的確審査情報）入力実行部を含むものとして構成されているので、各レセプトについての間違いの発見が容易に可能となり、かつ、各レセプトの有する不正確さの程度や注力すべき程度に対応して人的資力を的確に振り向けることが可能となる。
【００２０】
従って、これによれば、事務共助作業の効率向上効果及び審査処理負担の軽減効果が十分に得られることが可能となる。
【００２１】
このような第一発明に係るレセプト事務共助支援装置において、項目別不正確度情報は、診療パターン、医療機関及びその他の項目などの項目別不正確度情報を統計的に取得しているものであり、逐次最新の情報に設定しておくことによりレセプトランク付け情報（レセプト注力度情報）が適切なものになり重要度の高いレセプトの間違いの発見が高くなるという観点からすれば、項目別不正確度情報更新実行部を含むことが好ましい。
【００２２】
ここで、項目別不正確度情報更新実行部は、項目別不正確度情報記憶部に記憶された項目別不正確度情報記憶部における項目別不正確度情報の新たな統計的な調査を通じて取得される項目別不正確度情報への更新を入力部を通じて実行する機能を果たす。
【００２３】
また、第二発明に係るレセプト審査支援装置は、保険者が負担すべき保険者負担金の支払いの請求がなされたレセプトに含まれるレセプト情報の審査を行う入力部及び表示部を含むものである。
【００２４】
これは、項目別不正確度情報記憶部と、入力実行部と、画像文字変換部と、レセプト情報表示実行部と、レセプトランク付け情報表示実行部と、的確審査情報表示実行部とからなっている。
【００２５】
ここで、項目別不正確度情報記憶部は、診療パターン、医療機関その他の項目を特定するための項目特定情報に対して各項目別にレセプト情報の不正確さの程度を示す項目別不正確度情報を対応させて記憶しておくものである。入力実行部は、請求がなされたレセプトに含まれる画像情報であるレセプト情報であって項目特定情報及び保険者負担金に関する保険者負担金情報を含むレセプト情報の入力を入力部を通じて実行する機能を果たす。画像文字変換部は、入力された画像情報であるレセプト情報を文字情報であるレセプト情報に変換する機能を果たす。レセプト情報表示実行部は、変換されたレセプト情報の表示を表示部を通じて実行する機能を果たす。レセプトランク付け情報表示実行部は、項目別不正確度情報記憶部に基づいて請求がなされたレセプトについての審査に対して注力すべき程度を示すレセプトランク付け情報の算定をするとともに、算定されたレセプトランク付け情報の表示をレセプト情報の表示とともに表示部を通じて実行する機能を果たす。的確審査情報表示実行部は、レセプト事務共助者が利用する共助者支援装置から送信され又は入力部を通じて入力された請求がなされたレセプトの的確な審査を行うための付箋情報であって保険者負担金の算定に影響を与える可能性があるものの表示をレセプト情報の表示及びレセプトランク付け情報の表示とともに表示部を通じて実行する機能を果たす。
【００２６】
このような第二発明に係るレセプト審査支援装置によれば、このような項目別不正確度情報記憶部、入力実行部、画像文字変換部、レセプト情報表示実行部、レセプトランク付け情報表示実行部及び的確審査情報表示実行部を含むものとして構成されているので、各レセプトについての間違いの発見が容易に可能となり、かつ、各レセプトの有する不正確さの程度や注力すべき程度に対応して人的資力を的確に振り向けることが可能となる。
【００２７】
従って、これによれば、事務共助作業の効率向上効果及び審査処理負担の軽減効果が十分に得られることが可能となる。
【００２８】
このような第二発明に係るレセプト審査支援装置において、項目別不正確度情報は、診療パターン、医療機関及びその他の項目などの項目別不正確度情報を統計的に取得しているものであり、逐次最新の情報に設定しておくことによりレセプトランク付け情報が適切なものになり重要度の高いレセプトの間違いの発見が高くなるという観点からすれば、項目別不正確度情報更新実行部を含むことが好ましい。
【００２９】
ここで、項目別不正確度情報更新実行部は、項目別不正確度情報記憶部に記憶された項目別不正確度情報記憶部における項目別不正確度情報の新たな統計的な調査を通じて取得される項目別不正確度情報への更新を入力部を通じて実行する機能を果たす。
【００３０】
一方、第三発明に係るレセプト事務共助支援方法は、項目別不正確度情報記憶部、入力実行部、画像文字変換部、レセプト情報表示実行部、レセプトランク付け情報表示実行部、付箋情報入力実行部、入力部及び表示部を含むレセプト事務共助支援装置を用いて行うものであり、保険者が負担すべき保険者負担金の支払いの請求がなされたレセプトに含まれるレセプト情報の事務共助を行う方法である。
【００３１】
これは、以下の各ステップを含む方法として構成されている。
【００３２】
すなわち、項目別不正確度情報記憶部が、診療パターン、医療機関その他の項目を特定するための項目特定情報に対して各項目別にレセプト情報の不正確さの程度を示す項目別不正確度情報を対応させて記憶するステップ。
【００３３】
入力実行部が、請求がなされたレセプトに含まれる画像情報であるレセプト情報であって項目特定情報及び保険者負担金に関する保険者負担金情報を含むレセプト情報の入力を入力部を通じて実行するステップ。
【００３４】
画像文字変換部が、入力された画像情報であるレセプト情報を文字情報であるレセプト情報に変換するステップ。
【００３５】
レセプト情報表示実行部が、変換されたレセプト情報の表示を表示部を通じて実行するステップ。
【００３６】
レセプトランク付け情報表示実行部が、項目別不正確度情報記憶部に基づいて請求がなされたレセプトについての事務共助に対して注力すべき程度を示すレセプトランク付け情報の算定をするとともに、算定されたレセプトランク付け情報の表示をレセプト情報の表示とともに表示部を通じて実行するステップ。
ここで、「レセプトランク付け情報の表示をレセプト情報の表示とともに実行する」とは、レセプトランク付け情報の表示およびレセプト情報の表示が同時に実行される場合に限られるものではなく、レセプトランク付け情報の表示およびレセプト情報の表示が時間的に前後して実行される場合等をも含む概念である。
【００３７】
そして、付箋情報（的確審査情報）入力実行部が、請求がなされたレセプトの的確な審査を行うための付箋情報（的確審査情報）の入力を入力部を通じて実行するステップである。
【００３８】
このような第三発明に係るレセプト事務共助支援方法によれば、このようなレセプトランク付け情報の算定、算定されたレセプトランク付け情報の表示、付箋情報の入力を含むものとして構成されているので、各レセプトについての間違いの発見が容易に可能となり、かつ、各レセプトの有する不正確さの程度や注力すべき程度に対応して人的資力を的確に振り向けることが可能となる。
【００３９】
従って、これによれば、事務共助作業の効率向上効果及び審査処理負担の軽減効果が十分に得られることが可能となる。
【００４０】
このような第三発明に係るレセプト事務共助支援方法において、項目別不正確度情報は、診療パターン、医療機関及びその他の項目などの項目別不正確度情報を統計的に取得しているものであり、逐次最新の情報に設定しておくことによりレセプトランク付け情報が適切なものになり重要度の高いレセプトの間違いの発見が高くなるという観点からすれば、レセプト事務共助支援装置が項目別不正確度情報更新実行部をさらに含むものである場合において、以下の各ステップを含む方法として構成されていることが好ましい。
【００４１】
すなわち、項目別不正確度情報更新実行部が、項目別不正確度情報記憶部に記憶された項目別不正確度情報記憶部における項目別不正確度情報の新たな統計的な調査を通じて取得される項目別不正確度情報への更新を入力部を通じて実行するステップである。
【００４２】
また、第四発明に係るレセプト審査支援方法は、項目別不正確度情報記憶部、入力実行部、画像文字変換部、レセプト情報表示実行部、レセプトランク付け情報表示実行部、的確審査情報表示実行部、入力部及び表示部を含むレセプト審査支援装置を用いて行うものであり、保険者が負担すべき保険者負担金の支払いの請求がなされたレセプトに含まれるレセプト情報の審査を行う方法である。
【００４３】
これは、以下の各ステップを含む方法として構成されている。
【００４４】
すなわち、項目別不正確度情報記憶部が、診療パターン、医療機関その他の項目を特定するための項目特定情報に対して各項目別にレセプト情報の不正確さの程度を示す項目別不正確度情報を対応させて記憶するステップ。
【００４５】
入力実行部が、請求がなされたレセプトに含まれる画像情報であるレセプト情報であって項目特定情報及び保険者負担金に関する保険者負担金情報を含むものの入力を入力部を通じて実行するステップ。
【００４６】
画像文字変換部が、入力された画像情報であるレセプト情報を文字情報であるレセプト情報に変換するステップ。
【００４７】
レセプト情報表示実行部が、変換されたレセプト情報の表示を表示部を通じて実行するステップ。
【００４８】
レセプトランク付け情報表示実行部が、項目別不正確度情報記憶部に基づいて請求がなされたレセプトについての審査に対して注力すべき程度を示すレセプトランク付け情報の算定をするとともに、算定されたレセプトランク付け情報の表示をレセプト情報の表示とともに表示部を通じて実行するステップ。
ここで、「レセプトランク付け情報の表示をレセプト情報の表示とともに実行する」とは、レセプトランク付け情報の表示およびレセプト情報の表示が同時に実行される場合に限られるものではなく、レセプトランク付け情報の表示およびレセプト情報の表示が時間的に前後して実行される場合等をも含む概念である。
【００４９】
そして、的確審査情報表示実行部が、レセプト事務共助者が利用する共助者支援装置（レセプト審査支援装置以外の装置）から送信され又は入力部を通じて入力された請求がなされたレセプトの的確な審査を行うための付箋情報（的確審査情報）の表示をレセプト情報の表示及びレセプトランク付け情報（レセプト注力度情報）の表示とともに表示部を通じて実行するステップである。
ここで、「付箋情報（的確審査情報）の表示をレセプト情報の表示及びレセプトランク付け情報（レセプト注力度情報）の表示とともに実行する」とは、これらのすべての表示が同時に実行される場合に限られるものではなく、これらのうちの二つが同時に実行されるが、残余の表示は時間的に前後して実行される場合やこれらのすべてが別々に時間的に前後して実行される場合等をも含む概念である。
【００５０】
このような第四発明に係るレセプト審査支援方法によれば、このようなレセプトランク付け情報の算定、算定されたレセプトランク付け情報の表示、付箋情報の表示を含むものとして構成されているので、各レセプトについての間違いの発見が容易に可能となり、かつ、各レセプトの有する不正確さの程度や注力すべき程度に対応して人的資力を的確に振り向けることが可能となる。
【００５１】
従って、これによれば、事務共助作業の効率向上効果及び審査処理負担の軽減効果が十分に得られることが可能となる。
【００５２】
このような第四発明に係るレセプト審査支援方法において、項目別不正確度情報は、診療パターン、医療機関及びその他の項目などの項目別不正確度情報を統計的に取得しているものであり、逐次最新の情報に設定しておくことによりレセプトランク付け情報が適切なものになり重要度の高いレセプトの間違いの発見が高くなるという観点からすれば、以下の各ステップを含む方法として構成されていることが好ましい。
【００５３】
すなわち、レセプト審査支援装置が項目別不正確度情報更新実行部をさらに含む場合において、項目別不正確度情報更新実行部が項目別不正確度情報記憶部に記憶された項目別不正確度情報記憶部における項目別不正確度情報の新たな統計的な調査を通じて取得される項目別不正確度情報への更新を入力部を通じて実行するステップである。
【００５４】
【発明の実施の形態】
以下、添付図面に基づいて本発明の実施の形態を詳細に説明する。
【００５５】
［レセプト審査支援システム］
図１は本発明の一実施の形態に係るレセプト審査支緩システムの構成図である。レセプト審査支援システム１はレセプト事務共助支援装置２とレセプト審査支援装置３の部分横成（図１のケース）、又はレセプト事務共助支援装置２の部分構成とレセプト審査支援装置３で構成される（図示せず）。なお、図１のレセプト審査支援システム１は、レセプト審査支援装置３の部分構成として的確審査情報表示実行部３１を使用している。
【００５６】
〔レセプト事務共助支援装置〕
図２はレセプト事務共助支援装置２の構成図である。
【００５７】
本実施の形態において、レセプト事務共助支援装置２は、保険者が負担すべき保険者負担金の支払いの請求がなされたレセプトに含まれるレセプト情報の審査を行うにあたり、事務共助担当者の事務共助を支援するものである。
また、レセプト情報は、レセプトに記載されている受信者の氏名、保険証の記号番号、傷病名、診療開始日、診療行為の内容である再診、在宅、投薬などの情報でできている。
【００５８】
図２のように、具体的には、レセプト事務共助支援装置２は、レセプト情報や事務共助のための情報を表示する表示部と、表示部の制御などを行なう制御部と、レセプトの入力などを受付ける入力部と各種のデータを記憶することができる記憶部とを含んで構成される。
表示部は、液晶ディスプレイやＣＲＴ（Ｃａｔｈｏｄｅ−Ｒａｙ  Ｔｕｂｅ）などを利用したモニタを使用することができる。制御部は中央処理装置や記憶装置などを有し、所定のプログラムが展開・起動することで各種の処理を実現することができる。入力部はキーボード、マウス、ペンタブレットなどで横成される。またレセプト入力としては９９．５％が紙レセプトであり光学読取装置などで横成される。記憶部はＨＤＤ（Ｈａｒｄ  Ｄｉｓｋ  Ｄｒｉｖｅ）装置などにより構成される。
【００５９】
図２に示すように、さらにレセプト事務共助支援装置２の記憶部、入力部及び制御部は、項目別不正確度情報記憶部２１と、自動入力実行部２３ａと、画像文字変換部２３ｂと、レセプト情報表示実行部２４と、レセプト注力度情報表示実行部２５と、的確審査情報入力実行部２６と項目別不正確度情報更新実行部２７を備えた構成でできている。
【００６０】
以下、これらの各構成要素についてさらに詳細に説明する。
【００６１】
（１）項目別不正確度情報記憶部
項目別不正確度情報記憶部２１は、診療パターン、医療機関その他の項目を特定するための項目特定情報に対して各項目別に把握されるレセプト情報の不正確さの程度を示す項目別不正確度情報であってレセプト情報についての統計的な調査を通じてあらかじめ取得されるものが対応させられている項目別不正確度情報テーブル２２を記憶する機能を果たす。
【００６２】
図４は項目別不正確度情報テーブル２２を示している。
項目別不正確度情報テーブル２２は、項目別不正確度情報記憶部２１にあらかじめ格納された項目別不正確度情報２２０である項目特定情報２２１（診療パターン、医療機関等）の各項目と間違い率２２２でできている。
項目別不正確度情報テーブル２２は、レセプト情報の審査のための後述するランク付けポイントを求めるために、あらかじめ診療行為（初診、再診、指導、在宅、投薬、注射、処置、手術、検査、画像、入院、その他）に関する記載の有無などをレセプト点数欄より求めて、診療パターンごとの間違い率を統計的に求めたものであり項目別不正確度情報記憶部２１に記憶されている。
また、診療パターンに加え、医療機関（病院、診療所）、性別、世代（子供、大人、老人）、病気（疾病分類コード）、診療日数、入院・外来、請求点階級などの情報も合わせて記憶しておくことにより、より多角的に低リスクなレセプトのパターンを抽出する基準を提供できる。
【００６３】
（２）自動入力実行部
自動入力実行部２３ａは、請求がなされたレセプトに含まれる画像情報であるレセプト情報であって項目特定情報及び保険者負担金に関する保険者負担金情報を含むものの自動的な入力を入力部を通じて実行する機能を果たす。
【００６４】
具体的には、自動入力実行部２３ａは、紙レセプトに記載されたレセプト情報を光学的に読み取ることができ、読み取られたレセプト情報は記憶部に記憶され、レセプト事務共助及び審査のために使用される。光学読取手段は例えば通常使用されている光学読取装置で良い。
また、自動入力実行部２３ａは、レセプト情報が電子化されている磁気レセプトの場合も磁気レセプトを入力する機能を持っている。磁気レセプトは例えばフロッピー（Ｒ）ディスク又は磁気テープなどの記憶媒体で送られてくる。又はファイル転送などのオンライン入力でもよい。
【００６５】
（３）画像文字変換部
画像文字変換部２３ｂは、入力された画像情報であるレセプト情報を文字情報であるレセプト情報に変換する機能を果たす。
光学読取手段で文字認識できる部分は画像取得の際に文字認識（文字変換）を行う。
【００６６】
（４）レセプト情報表示実行部
レセプト情報表示実行部２４は、変換されたレセプト情報の表示を表示部を通じて実行する機能を果たす。
図５は本発明の一実施形態に係る事務共助の画面を示す図である。レセプト情報５１の一部が表示されている。
【００６７】
（５）レセプト注力度情報表示実行部
レセプト注力度情報表示実行部２５は、変換されたレセプト情報に含まれる項目特定情報２２１に基づいて項目別不正確度情報テーブル２２を検索して対応する項目別不正確度情報２２０を抽出し、抽出した項目別不正確度情報２２０及びレセプト情報に含まれる保険者負担金情報に基づいて請求がなされたレセプトについての事務共助に対して注力すべき程度を示すレセプト注力度情報の算定をするとともに、算定されたレセプト注力度情報の表示をレセプト情報の表示とともに表示部を通じて実行する機能を果たす。
【００６８】
レセプト注力度情報表示実行部２５は、項目別不正確度情報テーブル２２の項目別不正確度情報２２０をもとに、図５に示すレセプト注力度情報５３の一つであるレセプトのランク付けポイント５２を求め、事務共助及び審査でレセプトの重要度を注視できるようにするものである。
レセプト注力度情報表示実行部２５は、項目別不正確度情報２２０をもとにランク付けポイント５２を算出する。例えば図４の診療パターンや医療機関などの各項目の各々で重み付けした間違い率を求め、例えば（間違い率）×（請求点）などをランク付けポイント５２として求める。結果としてランク付けポイント５２はレセプト請求点が高く、同時に間違い率の高い診療パターンであったり又は間違い率の高い医療機関であるとランク付けポイント５２が高く充分に審査する必要があるということになる。逆にレセプト請求点が低く、同時に間違い率の低い診療パターンであったり又は、間違い率の低い医療機関であるとランク付けポイント５２は低くなり無審査に近い形で審査することができることになる。
実際の業務ではこのランク付けポイント５２で一定以下のポイントのレセプトは注力せず一定以上のポイントのレセプトのみを審査するということになる。なお、このランク付けポイント５２はその月のレセプト審査の業務量、事務共助担当者及び審査担当者の人的資源の増減によって調整することができる。
【００６９】
また、レセプト注力度情報表示実行部２５は、レセプトに含まれる特定キーワードの抽出による要注意キーワードを抽出して表示し事務共助及び審査で注視することができるようになっている。
さらに、低額レセプトで注意すべき薬品、検査間違いの多い品目名などを検出し使用している場合も、レセプト注力度情報表示実行部２５にて表示し、事務共助及び審査で注視することができるようになっている。
なお、これら要注意キーワードや、注意すべき薬品、検査間違いの多い品目などは項目別不正確度情報記憶部２１に事前に記憶しておき、レセプト注力度情報表示実行部２５で使用することができる。
【００７０】
（６）的確審査情報入力実行部
的確審査情報入力実行部２６は、請求がなされたレセプトの的確な審査を行うための的確審査情報であって保険者負担金の算定に影響を与える可能性があるものの入力を入力部を通じて実行する機能を果たす。
【００７１】
具体的には、図５において、事務共助担当者は、レセプト情報５１とランク付けポイント５２などのレセプト注力度情報５３からレセプトの重要度を判断して、診療パターンである再診回数、在宅患者に対する往診、投薬回数などの情報をチェックし処置や投薬に疑義があれば後述する的確審査情報である共助付箋情報を共助付箋情報欄５５に入力することができる。
なお、本画面の表示部は通常のコンピュータ端末又はＰＣで構わない。
【００７２】
（７）項目別不正確度情報更新実行部
項目別不正確度情報更新実行部２７は、項目別不正確度情報記憶部２１に記憶された項目別不正確度情報テーブル２２における項目別不正確度情報２２０の新たな統計的な調査を通じて取得される項目別不正確度情報２２０への更新を前記入力部を通じて実行する機能を果たす。
【００７３】
項目別不正確度情報更新実行部２７は診療パターン別、医療機関別などの間違い率をあらかじめ統計情報として採取しておき定期的に項目別不正確度情報テーブル２２に反映して項目別不正確度情報２２０をランク付けポイントに最新の情報として反映できるようにしておく。
【００７４】
〔レセプト審査支援装置〕
図３はレセプト審査支援装置３の構成図である。
【００７５】
本実施の形態において、レセプト審査支援装置３は、保険者が負担すべき保険者負担金の支払いの請求がなされたレセプトに含まれるレセプト情報の審査を行うにあたり、審査担当者の審査を支援するものである。
【００７６】
図３のように、具体的には、レセプト審査支援装置３は、レセプト情報や審査のための情報を表示する表示部と、表示部の制御などを行なう制御部と、レセプトの入力などを受付ける入力部と各種のデータを記憶することができる記憶部とを含んで構成される。
表示部は、液晶ディスプレイやＣＲＴ（Ｃａｔｈｏｄｅ−Ｒａｙ  Ｔｕｂｅ）などを利用したモニタを使用することができる。制御部は中央処理装置や記憶装置などを有し、所定のプログラムが展開・起動することで各種の処理を実現することができる。入力部はキーボード、マウス、ペンタブレットなどで構成される。またレセプト入力としては９９．５％が紙レセプトであり光学読取装置などで構成される。記憶部はＨＤＤ（Ｈａｒｄ  Ｄｉｓｋ  Ｄｒｉｖｅ）装置などにより横成される。
【００７７】
図３に示すように、さらにレセプト審査支援装置３の記憶部、入力部及び制御部は、項目別不正確度情報記憶部２１と、自動入力実行部２３ａと、画像文字変換部２３ｂと、レセプト情報表示実行部２４と、レセプト注力度情報表示実行部２５と、的確審査情報表示実行部３１と項目別不正確度情報更新実行部２７を備えた横成でできている。
【００７８】
以下、これらの各構成要素についてさらに詳細に説明する。なお、前記のレセプト事務共助支援装置２と重複する部分は、その説明を省略する。
【００７９】
（１）的確審査情報表示実行部
的確審査情報表示実行部３１は、審査担当者に関するレセプト審査支援装置３以外の装置から送信され又は入力部を通じて入力された前記請求がなされたレセプトの的確な審査を行うための的確審査情報であって保険者負担金の算定に影響を与える可能性があるものの表示をレセプト情報の表示及びレセプト注力度情報の表示とともに表示部を通じて実行する機能を果たす。
【００８０】
図６は本発明の一実施形態に係る審査画面を示す図である。
図６に示すように、的確審査情報表示実行部３１は、レセプト情報５１、レセプト注力度情報５３であるランク付けポイント５２とその理由及び的確審査情報５４である共助付箋情報をあわせて表示することができるようになっている。
審査担当者は審査画面で共助付箋情報を参考にして、審査結果をキーボード又はペンタブレットにより画面上のレセプト情報５１の該当個所（共助付箋情報で指摘された項目）に入力することができる。
【００８１】
〔事務共助画面〕
図５は事務共助画面５を示す図である。
事務共助画面５は、レセプト注力度情報表示実行部２５の表示画面である。
事務共助画面５は、レセプト情報５１である患者のかかった医療機関名、保険者名、患者の氏名、性別、年齢が表示される。また、患者の傷病名５６（この例では、上気道炎と大腿骨骨折）、診療開始日、診療実日数が表示される。
さらに、レセプト情報５１には再診の回数、在宅関係での往診回数、夜間回数、投薬の内容と回数、注射の内容と回数、処置の回数などのレセプトの表示がなされる。
またレセプト注力度情報５３は、ランク付けポイント５２とその理由（例えば点数、傷病名の特性、摘要欄の特定文字列）の情報が表示される。  図５の例では、レセプトの重要度を示すランク付けポイント５２は１１０５０ｐｔ、主な理由としては「レセプトの請求点がＸＸ点、処置、注射あり、インシュリンを使っている」ことがあげられている。
事務共助担当者は、ランク付けポイント５２とその理由を見て的確審査情報５４を入力する共助付箋情報欄５５に疑義内容を入力する。
【００８２】
〔審査画面〕
図６は審査画面６を示す図である。
審査画面６は、的確審査情報表示実行部３１の表示画面である。審査画面６は、レセプト情報５１、レセプト注力度情報５３であるランク付けポイント５２とその理由及び的確審査情報５４である共助付箋情報が並んで表示される。共助付箋情報欄５５には前段階の処理である的確審査情報入力実行部２６にて入力された共助付箋情報が表示される。
本実施形態では共助付箋情報として入力された「１．上気道炎にセレスタミンが処方されています。」「２．在宅自己注射指導管理料を算定している上で特定疾患処方管理加算が算定されていますが構わないでしょうか？」の内容を見て「問題なし。」とか「認められない。」などの結果を入力する。
共助付箋情報はハイパリンク形式になっており、クリックすることによりレセプトの該当部分を表示することができる。
操作ボタン５８は、「戻る」又は「進む」で画面操作をすることができ、また操作ボタン５９をクリックすることにより、関連レセプトの過去のレセプトや調剤レセプトを検出することが可能であり、操作ボタン６０は次のレセプトへの切り替えボタンとなっている。さらに拡大表示、縮小表示も可能である。
審査担当者は、この画面を見て審査結果をキーボード又はペンタブレットにより画面上のレセプト情報５１の該当個所（共助付箋情報で指摘された項目）に入力することができるようになっている。
【００８３】
上記したように、このようなレセプト事務共助支援装置２、レセプト審査支援装置３において、このような項目別不正確度情報記憶部２１、自動入力実行部２３ａ、画像文字変換部２３ｂ、レセプト情報表示実行部２４、レセプト注力度情報表示実行部２５、項目別不正確度情報更新実行部２７及びレセプト事務共助支援装置２においては的確審査情報入力実行部２６を、レセプト審査支援装置３においては的確審査情報表示実行部３１を含むものとして構成されているので、各レセプトについての間違いの発見が容易に可能となり、かつ各レセプトの有する不正確さの程度や注力すべき程度に対応して人的資力を的確に振り向けることが可能となる。
【００８４】
従って、これによれば、事務共助作業の効率向上効果及び審査処理負担の軽減効果が十分に得られることが可能となる。
【００８５】
［レセプト事務共助支援方法］
図７は本発明の一実施の形態に係る方法の全体構成を説明するフローチャートを示している。
【００８６】
本実施の形態において、レセプト事務共助支援方法は、上記したようなレセプト事務共助支援装置２を用いて行うものであり、図７にフローチャートとして示すように、ステップ１〜ステップ７までの各ステップにより構成されている。以下、図７を用いて、各ステップについて説明する。
【００８７】
（１）ステップ１
これは、項目別不正確度情報記憶部２１が、診療パターン、医療機関その他の項目を特定するための項目特定情報に対して各項目別に把握されるレセプト情報の不正確さの程度を示す項目別不正確度情報であってレセプト情報についての統計的な調査を通じてあらかじめ取得されるものが対応させられている項目別不正確度情報テーブル２２を記憶する項目別不正確度情報記憶ステップである。
【００８８】
（２）ステップ２
これは、自動入力実行部２３ａが、請求がなされたレセプトに含まれる画像情報であるレセプト情報であって項目特定情報及び保険者負担金に関する保険者負担金情報を含むものの自動的な入力を入力部を通じて実行する自動入力実行ステップである。
【００８９】
（３）ステップ３
これは、画像文字変換部２３ｂが、入力された画像情報であるレセプト情報を文字情報であるレセプト情報に変換する画像文字変換ステップである。
【００９０】
（４）ステップ４
これは、レセプト情報表示実行部２４が、変換されたレセプト情報の表示を表示部を通じて実行するレセプト情報表示実行ステップである。
【００９１】
（５）ステップ５
これは、レセプト注力度情報表示実行部２５が、変換されたレセプト情報に含まれる項目特定情報に基づいて項目別不正確度情報テーブル２２を検索して対応する項目別不正確度情報を抽出し、抽出した項目別不正確度情報及びレセプト情報に含まれる保険者負担金情報に基づいて請求がなされたレセプトについての事務共助に対して注力すべき程度を示すレセプト注力度情報の算定をするとともに、算定されたレセプト注力度情報の表示をレセプト情報の表示とともに表示するレセプト注力度情報表示実行ステップである。
【００９２】
（６）ステップ６
これは、的確審査情報入力実行部２６が、請求がなされたレセプトの的確な審査を行うための的確審査情報であって保険者負担金の算定に影響を与える可能性があるものの入力を入力部を通じて実行する的確審査情報入力実行ステップである。
【００９３】
（７）ステップ７
これは、項目別不正確度情報更新実行部２７が、項目別不正確度情報記憶部２１に記憶された項目別不正確度情報テーブル２２における項目別不正確度情報の新たな統計的な調査を通じて取得される項目別不正確度情報への更新を前記入力部を通じて実行する項目別不正確度情報更新ステップである。
【００９４】
〔レセプト審査支援方法〕
【００９５】
図７は本発明の一実施の形態に係る方法の全体構成を説明するフローチャートを示している。
【００９６】
本実施の形態において、レセプト審査支援方法は、上記したようなレセプト審査支援装置３を用いて行うものであり、図７にフローチャートとして示すように、ステップ１〜ステップ５までの各ステップ及びステップ７、ステップ８により構成されている。なお、前記のレセプト事務共助支援方法と重複する部分は、その説明を省略する。
【００９７】
（１）ステップ８
これは、的確審査情報表示実行部３１が、審査担当者に関するレセプト審査支援装置以外の装置から送信され又は入力部を通じて入力された前記請求がなされたレセプトの的確な審査を行うための的確審査情報であって保険者負担金の算定に影響を与える可能性があるものの表示をレセプト情報の表示及びレセプト注力度情報の表示とともに前記表示部を通じて実行する的確審査情報表示実行ステップである。
【００９８】
これにより、本実施形態に係るレセプト事務共助支援装置、レセプト審査支援装置及びそれらの方法並びにプログラムが終了する。
【００９９】
すなわち、このようなレセプト事務共助支援装置、レセプト審査支援装置及びそれらの方法並びにプログラムによれば、このようなレセプト注力度情報の算定、算定されたレセプト注力度情報の表示、的確審査情報の入力を含むものとして構成されているので、各レセプトについての間違いの発見が容易に可能となり、かつ、各レセプトの有する不正確さの程度や注力すべき程度に対応して人的資力を的確に振り向けることが可能となる。
【０１００】
従って、これによれば、事務共助作業の効率向上効果及び審査処理負担の軽減効果が十分に得られることが可能となる。
【０１０１】
【発明の効果】
本発明に係るレセプト事務共助支援装置、レセプト審査支援装置及びそれらの方法並びにプログラムによれば、事務共助作業の効率向上効果及び審査処理負担の軽減効果が十分に得られることとなる。
【図面の簡単な説明】
【図１】本発明の一実施の形態に係るレセプト審査支援システム構成図である
。
【図２】本発明の一実施の形態に係るレセプト事務共助支援装置の構成図であ
る。
【図３】本発明の一実施の形態に係るレセプト審査支援装置の構成図である。
【図４】本発明の一実施の形態に係る項目別不正確度情報テーブルの図である。
【図５】本発明の一実施の形態に係る事務共助画面を示す図である。
【図６】本発明の一実施の形態に係る審査画面を示す図である。
【図７】本発明の一実施の形態に係る方法を説明するフローチャートである。
【符号の説明】
１・・・レセプト審査支援システム
２・・・レセプト事務共助支援装置
２１・・項目別不正確度情報記憶部
２２・・項目別不正確度情報テーブル
２２０・・項目別不正確度情報
２２１・・項目特定情報（診療パターン、医療機関）
２３ａ・・自動入力実行部
２３ｂ・・画像文字変換部
２４・・レセプト情報表示実行部
２５・・レセプト注力度情報表示実行部
２６・・的確審査情報入力実行部
２７・・項目別不正確度情報更新実行部
３・・・レセプト審査支援装置
３１・・的確審査情報表示実行部
５・・・事務共助画面
５１・・レセプト情報
５３・・レセプト注力度情報
５４・・的確審査情報（共助付箋情報）
５５・・共助付箋情報欄
６・・・審査画面
【図１】
0003600914.tif 000002
【図２】
0003600914.tif 000003
【図３】
0003600914.tif 000004
【図４】
0003600914.tif 000005
【図５】
0003600914.tif 000006
【図６】
0003600914.tif 000007
【図７】
0003600914.tif 000008